(57)【要約】      （修正有）【課題】パウチの密封が充填物によって妨げられ難く、且つ、パウチの密封が容易である医療用パウチを提供する。【解決手段】シートを袋状に形成したパウチ本体２と、パウチ本体２に装着された注入部材８及び注出部材９と、を備える医療用パウチ１であって、注入部材８は、注入口８３を有し、注入口８３を熱圧着によって閉塞可能に構成されている。この注入部材８及び注出部材９は、熱可塑性樹脂にて一体的に成形されたスパウト部材６から構成されている。【選択図】図１
2008099778.tif 000002
【特許請求の範囲】
【請求項１】
シートを袋状に形成したパウチ本体と、パウチ本体に装着された注入部材及び注出部材と、を備え、
前記注入部材は、注入口を有し、該注入口を熱圧着によって閉塞可能に構成されていることを特徴とする医療用パウチ。
【請求項２】
前記注入部材及び前記注出部材は、熱可塑性樹脂にて一体的に成形されている請求項１に記載の医療用パウチ。
【請求項３】
前記パウチ本体に仕切部材が設けられ、仕切部材は、パウチ本体を構成する一方のシート基材の内面に設けられた係合部と、係合部に係脱可能で、且つ、パウチ本体を構成する他方のシート基材の内面に設けられた被係合部と、を有し、係合部に被係合部を係合させることによって、パウチ本体内を２つの空間に水密状に仕切る請求項１または２に記載の医療用パウチ。
【発明の詳細な説明】
【技術分野】
【０００１】
本発明は、経腸栄養剤などの流動食や輸液などの医療用液状物が充填される医療用パウチに関する。
【背景技術】
【０００２】
従来、可撓性のあるシートを熱シール等することによって袋状に形成された容器が広く用いられており、このような容器は、通常、パウチと呼ばれている。
また、該パウチに、スパウトと呼ばれる注入出用の口部を装着したスパウト付きパウチも広く用いられている。
【０００３】
一般に、スパウト付きパウチには、飲料、ゼリーなどの食品や栄養補助食品などが充填される。また、スパウト付きパウチのうち、ビタミン類やアミノ酸などを含有する経腸栄養剤などの流動食や輸液などの医療用液状物が充填される医療用パウチとして、特許文献１に示す流動食用包装体が知られている。
【０００４】
特許文献１の流動食用包装体は、医療用液状物が充填される包装体と、この包装体に装着され、この包装体から医療用液状物を注出する注出口部材とを備えている。かかる流動食用包装体は、包装体に充填された医療用液状物を注出口部材を通じて注出することで、医療用液状物を患者に投与することができる。
また、かかる流動食用包装体は、包装体に装着される注入口部材を備え、この注入口部材を通じて包装体に水などの希釈液を加えることができ、包装体に予め充填された医療用液状物を患者の病状等に応じて希釈して、患者に投与することも可能である。
【０００５】
以上のような医療用パウチ（流動食用包装体）に、医療用液状物（以下、単に「充填物」という場合がある）を充填する方法としては、次の方法が用いられる。
第１の方法は、パウチの周辺部の一辺部を未接着にしておいて、その未接着一辺部を通じて、パウチ内に充填物を入れた後、該一辺部を熱シールすることにより、パウチを密封状に封止する。
第２の方法は、パウチは密封状に形成しておき、このパウチに取り付けられたスパウトの注入用の口部を通じて、パウチ内に充填物を充填した後、該注入用の口部に中蓋シール材を貼り、更に、キャップを螺合する。
【０００６】
しかしながら、上記第１の方法では、充填物の充填後、パウチの周辺部を熱シールするため、熱シールされる部分間に充填物が入り込み、シール不良を起こす虞がある。そのため、充填物の液面高さが熱シール予定部分よりもかなり下側となるように、充填物を充填するが、この場合、充填量が少なくなる上、パウチ内に比較的大容量の空気が残存する。
一方、上記第２の方法では、スパウトの口部を通じて充填物を充填するため、スパウトの口部の近くに液面が位置するまで、充填物を充填できる。しかしながら、第２の方法では、充填物の充填後に、スパウトの注入用の口部に中蓋シール材を貼付しなければならないため、該中蓋シール材を貼付作業が繁雑である。なお、第２の方法に於いて、中蓋シールを貼付しない方法も知られているが、空気の残存量を完全に零にできないため、残存空気を、炭酸、窒素、ヘリウムなどで置換しなければならない。
【特許文献１】特開２００３−３２７２６３号公報
【発明の開示】
【発明が解決しようとする課題】
【０００７】
そこで、本発明は、内部に残存する空気量を少なくしつつ、充填後のパウチを良好に且つ容易に密封できる医療用パウチを提供することを課題とする。
【課題を解決するための手段】
【０００８】
上記問題点に鑑みて、本発明は、  シートを袋状に形成したパウチ本体と、パウチ本体に装着された注入部材及び注出部材と、を備え、注入部材は、注入口を有し、該注入口を熱圧着によって閉塞可能に構成されている医療用パウチを提供する。
【０００９】
本発明の医療用パウチは、密封袋状に形成されたパウチ本体の内部に、注入部材を通じて、充填物が充填される。このように注入部材を通じて充填物を入れるので、注入部材の注入口の付近まで充填物を入れることができ、パウチ本体内に空気が残存することを防止できる。
また、注入部材は、その注入口を熱圧着によって閉塞可能であるため、液が溢れるまで充填した状態で圧着することも可能である（液中シール）。従って、パウチ本体内にほぼ空気を残存させずに閉塞することができる。このように注入口を熱圧着にて閉塞すれば、中蓋シール材を貼付を省略することができる。
充填済み医療用パウチは、注出部材にチューブを取り付け、該チューブを通じて充填物が患者に投与される。
【００１０】
好ましい態様として、注入部材と注出部材とは熱可塑性樹脂にて一体的に成形されている態様を挙げることができる。
【００１１】
このように、注入部材と注出部材が一体的に形成されている態様では、１つの部材を、シート基材間に挟んで接着すればよい。このためパウチ本体の周縁部の接着を簡易に行うことができる。また、シート基材と部材の接着箇所が１ヶ所で良いので、接着不良による液漏れの蓋然性が低くなる。また、落下などの衝撃によるピンホールや破袋の蓋然性が低くなる。
【００１２】
他の好ましい態様として、上記パウチ本体に仕切部材が設けられ、仕切部材は、パウチ本体を構成する一方のシート基材の内面に設けられた係合部と、係合部に係脱可能で、且つ、パウチ本体を構成する他方のシート基材の内面に設けられた被係合部と、を有し、係合部に被係合部を係合させることによって、パウチ本体内を２つの空間に水密状に仕切る態様を挙げることができる。
【００１３】
かかる好ましい態様における医療用パウチは、例えば、一方の空間に充填物を充填し、パウチ本体の一部を切り取って他方の空間を開き、そして、係合部と被係合部の係合を解除することにより、シート基材の間から、充填物が充填された一方の空間に希釈液を加えることができる。
そのため、該医療用パウチは、充填物を充填し且つ注入口を閉塞した後で、充填物の希釈液を加えることができる。
また、希釈液を加えた後、係合部と被係合部を係合させることにより、充填物が充填された一方の空間を水密状に閉塞できる。従って、パウチの使用時、希釈後の充填物が漏れる虞がない。
【発明の効果】
【００１４】
本発明に係る医療用パウチは、内部に残存する空気量を少なくしつつ、充填後のパウチを良好に密封できる。
【発明を実施するための最良の形態】
【００１５】
（実施形態１）
以下、本発明について、図面を参照しつつ具体的に説明する。
図１に於いて、１は、密封袋状に形成されたパウチ本体２と、パウチ本体２に装着されたスパウト部材６とを備える医療用パウチを示す。
【００１６】
パウチ本体２は、スパウト部材６を両側から挟み込んで重ねられた矩形状の表シート基材３と裏シート基材（図１において、表シート基材３の紙面の奥側に重ねられている）との周辺部を熱シールすることで２枚のシート基材の層間に収納部４を有した密封袋状に形成されている。なお、シート基材は、熱シールにて接着されていることが好ましいが、接着剤などによって接着されていてもよい。また、シート基材は、２枚に限られず、例えば、１枚のシート基材を折り畳み、３方辺を接着することにより、パウチ本体２が形成されていてもよい。
収納部４には、ビタミン類やアミノ酸などを含有する経腸栄養剤などの流動食や輸液などの医療用液状物（充填物）が充填される。
尚、以下では、表シート基材と裏シート基材とを合わせて「シート基材」という場合がある。また、各図において、墨入り部分は、シールされた部分（以下、「シール部２１」という）を示している。
【００１７】
かかるシール部２１には、吊下げ用の貫通孔２３が形成されている。該貫通孔２３は、スパウト部材６が挟まれている部分と対向する端部に形成されている。かかる貫通孔２３をフック等に通し、スパウト部材６を下に向けて医療用パウチ１を吊下げれば、注出部材９を通じて収納部４に充填された充填物を、残すことなく注出できる。
【００１８】
パウチ本体２を形成するシート基材の材料は、特に限定されず、従来公知のものを使用できる。シート基材の材料としては、例えば、パウチ本体２の強度（耐屈曲性、耐ピンホール性など）を保持するための基材層と、熱シールするためのシーラント層と、が積層された積層シートを用いることができる。
基材層の材質は、比較的強度に優れるものであれば特に限定されず、例えば、二軸延伸ポリオレフィン系樹脂シート、二軸延伸ポリアミド系樹脂シート、二軸延伸ポリエステル系樹脂シート、エチレン−ビニルアルコール共重合体シート、又は、これらのシートを２種以上積層したシートを例示することができる。
シーラント層の材質は、熱シール可能なものであれば特に限定されず、例えば、ポリプロピレン、低密度ポリエチレン、直鎖状低密度ポリエチレン、エチレン−酢酸ビニル共重合体等のオレフィン系の熱接着樹脂シートを例示することができる。
このような基材層とシーラント層とが積層された積層シートをシート基材の材料とする場合は、２枚のシート基材（表シート基材及び裏シート基材）のシーラント層同士を重ね合わせつつ、その周辺部の一部分にスパウト部材６を挟み込み、スパウト部材６の挟み込み部分を含む両シート基材の周辺部を熱シールすることで、密封袋状のパウチ本体２が形成される。
尚、シート基材として、遮光層、紫外線吸収層、ガスバリア層などの各種機能層が積層されている積層シートを用いることもできる。これら各種機能層は、上記基材層に積層することが好ましい。
【００１９】
次に、スパウト部材６は、パウチ本体２の周辺部の一辺部に装着されている。スパウト部材６は、図２にも示すように、左右に並ぶように配置された注入部材８及び注出部材９と、これらを連結する台座部７と、を備える。
尚、かかる注入部材８、注出部材９及び台座部７は一体的に成形され、１つのスパウト部材６を構成している。
【００２０】
注入部材８は、上下に貫通する注入口８３が内部に形成された管状に形成されている。かかる注入部材８に形成された注入口８３は、一端部がパウチ本体２の外部において開口され、他端部が収納部４内において開口されている。
注入部材８には、通常、キャップ８５が嵌められており、該キャップ８５は、注入部材８を通じて充填物をパウチ本体２内に入れる際に取り外される。
キャップ８５の構成は特に限定されるものでなく、図２に示すように、内径が注入部材８の外径より若干小さく、注入部材８に外嵌着可能なものや、特に図示しないが、注入部材８の外周面部にネジ部が形成されている場合は、該注入部材８とネジ作用によって取り付けられるキャップなどが例示される。
【００２１】
一方、注出部材９は、上下に貫通する注出口９４が内部に形成された管状に形成されている。かかる注出部材９に形成された注出口９４は、一端部がパウチ本体２の外部において開口され、他端部が収納部４内において開口されている。
注出部材９の外径は、先端部に向けて次第に小さく形成されている。外径が、先端部に向けて次第に小さく形成されていることで、注出部材９は、チューブを嵌め入れ易い構造に形成されている。
また、注出部材９の外周面部９１は、段状（例えばネジ部）に形成されている。外周面部９１が、段状に形成されていることで、注出部材９は、嵌め入れたチューブが抜け難い構造に形成されている。
注出部材９には、注出部材９の注出口９４を水密状に密封するキャップ９５が取り付けられている。該キャップ９５は、注出口９４を通じて収納部４から充填物を注出する際、注出部材９から取り外される。キャップ９５は、注出口９４から充填物が漏れないように、注出口９４の開口端部を水密状に閉塞することができる構成であれば特に限定されるものでない。本実施形態のキャップ９５は、内周面部９６にネジ部が形成されており、該キャップ９５は、注出部材９の外周面部９１に形成されたネジ部に螺合し、注出口９４を閉塞する構成である。
【００２２】
台座部７は、上記注入部材８及び注出部材９の基部に形成され、注入部材８及び注出部材９を連結している。台座部７は、例えば、平面視舟形状に形成されている。台座部７は、その側面部７１がパウチ本体２を形成する表シート基材及び裏シート基材の層間に挟まれて、かかるシート基材の周辺部と熱シール等によって接着されている。
【００２３】
更に、スパウト部材６は、注入部材８及び注出部材９に架け渡された支持部材７０を備えている。この支持部材７０は、例えば、図３に示すように、充填物を収納部４内に充填する際に、支持部材７０と台座部７の間にガイドＧを挿通して医療用パウチ１を支持する支持部として機能する。
【００２４】
スパウト部材６は、注入部材８の注入口８３を熱圧着によって閉塞可能に構成されている。本発明では、注入部材８の注入口８３を熱圧着にて水密状に閉塞できるものであれば、その材質は特に限定されないが、通常、注入部材８（スパウト部材６）は、熱可塑性樹脂の成型品（射出成型品等）によって形成される。熱可塑性樹脂としては、ポリエチレン、ポリプロピレンなどのオレフィン系樹脂、ポリスチレンなどのスチレン系樹脂、ポリ塩化ビニルなどのビニル系樹脂、ポリエチレンテレフタレートなどのエステル系樹脂、ポリアミドなどのアミド系樹脂などが例示される。好ましくは、ポリプロピレンである。
【００２５】
注入部材８を熱圧着にて閉塞可能な構成とする手段としては、例えば、注入部材８の形成材料として、上記のような、加熱することによって溶融接着する樹脂材料を使用する。
注入口８３の断面形状は、特に限定されないが、熱圧着時に押し潰し易く且つ接着性に優れている点から、楕円状、扁平状の多角形状などが好ましい。また、熱圧着される部分の注入部材８の肉厚｛肉厚＝（注入部材８の外径）−（注入口８３の口径）｝は、例えば、０．２ｍｍ〜２ｍｍ程度が好ましくい。なお、注入口８３の口径は、充填物を充填する点などから、３ｍｍ〜１０ｍｍ程度が好ましい。また、熱圧着時の接着性の観点から、注入部材８は、注入口８３が熱溶着される部分の肉厚が、他の部分に比べて、薄く形状されていてもよい。
【００２６】
注入部材８の注入口８３を熱圧着によって閉塞する方法としては、例えば、注入口８３を構成する注入部材８の内周面が互いに接着するまで、注入部材８を加熱しつつ所定の力で扁平状に圧する。具体的には、例えば、図４に示すように、加熱された左右一対のヘッド１０を用い、該一対のヘッド１０を注入部材８の外周面に対向させ、一対のヘッド１０にて注入部材８の外周面を熱しながら圧する。ヘッド１０は、例えば、先端部がやや尖った形状に形成され、内部にヒータ１１が埋め込まれたものなどが例示できる。もっとも、ヒータ１１が埋設されていないヘッド１０を用いてもよく、この場合は、別途のヒータ装置にて注入部材８を加熱する。
このように加熱状態で押し潰された注入部材８は、その内周面同士が接着し、その結果、注入部材８の注出口８３が水密状に閉塞される。
尚、注入口８３の熱圧着の条件としては、注入部材８（スパウト部材６）の材質や注入部材８の厚みなどに応じて適宜設定される。例えば、注入部材８の材質がポリプロピレンであり、注入部材８の肉厚が０．５〜１．０ｍｍ、注入口８３の口径が直径８〜１５ｍｍである場合は、注入部材８に対する加熱温度１５０〜２５０℃、加熱圧着時間０．５〜２秒程度が例示される。。
【００２７】
以上のような構成の医療用パウチ１は、収納部４に充填物が充填された状態で提供される。収納部４への充填物の充填は、次のようにして行なわれる。
まず、図３に示すように、キャップ８５を注入部材８から取り外し、支持側のガイドＧに、支持部材７０を係止し、スパウト部材６が上を向くように医療用パウチ１を吊り下げる。そして、注入部材８の注入口８３に充填管Ｔ１を挿入し、該充填管１から充填物を収納部４に入れる。
充填後、充填管Ｔ１を注入部材８から外し、注入口８３を熱圧着によって閉塞する。熱圧着方法は、上記例示の通りである。
これによりパウチ本体２の収納部４に充填物が充填された医療用パウチ１を得ることができる。
本発明の医療用パウチ１は、管状の注入部材８を通じて充填物を充填するため、充填物の液面が注入部材８（注入口８３）の先端近傍に位置するまで、充填物を充填できる。従って、パウチ本体２の収納部４内に残る空気量を極力少なくすることができる。また、本発明は、注入部材８の注入口８３を熱圧着にて閉塞するため、注入口８３から液が溢れるまで充填した状態で圧着することも可能である（液中シール）。従って、パウチ本体内にほぼ空気を残存させずに閉塞することも可能である。
【００２８】
かかる充填済み医療用パウチ１は、保管、流通を経て、実用に供される。
該医療用パウチ１にに充填された充填物は、例えば、次のようにして患者に投与される。
まず、スパウト部材６の注出部材９からキャップ９５を取り外して、注出部材９の先端部にチューブＴ３の一端部を嵌入する。そして、図５に示すように、貫通孔２３を、吊下げフックＦに掛け、スパウト部材６が下を向くように医療用パウチ１を吊下げる。チューブＴ３の他端部を患者に繋ぐことによって、収納部４内の充填物を余すことなく投与できる。
【００２９】
以上のように、本発明の医療用パウチ１は、充填物を充填後、その注入口８３を熱圧着によって押し潰して接着するので、該注入口８３を水密状に閉塞できる。従って、本発明の医療用パウチ１によれば、従来の注入口部から充填するパウチのように中蓋シール材を貼付する必要がなく、簡単な作業で充填でき且つパウチを密封できる。
【００３０】
また、本実施形態では、注入部材８と注出部材９が一体的に形成されているので、シート基材とスパウト部材６の接着箇所が１箇所で済む。一般に、スパウト部材を挟み込んだ部分に於けるシート基材の接着は、シート基材同士の接着に比して技術的に難しいが、注入部材８と注出部材９を１つのスパウト部材６で構成することによって、技術的に難しいスパウト部材の接着箇所を最小限にできる。
【００３１】
（実施形態２）
以下、主として上記第１実施形態と異なる構成について説明し、上記実施形態１と同様の構成及び効果については説明を省略し、用語及び符号を援用する場合がある。
本実施形態に掛かる医療用パウチ１は、図６に示すように、パウチ本体２とスパウト部材６とを備える。
【００３２】
パウチ本体２のシール部２１には、切込線２２が形成されている。かかる切込線２２は、パウチ本体２の端縁から内側に、略Ｖ字状（又は一直線状）に切り込むことによって形成されている。この切込線２２の延長線２２ａ上には、収納部４が位置する。切込線２２を開封起点として、例えば、前記延長線２２ａに沿うようにシート基材を分断し、パウチ本体２の角部２４を切り取ると、収納部４の一部が開口される。
尚、切込線２２の延長線２２ａは、実際には、パウチ本体２に設けられないが、説明の便宜上、図６においては２点差線で表している。
【００３３】
更に、パウチ本体２には、収納部４を水密状に仕切る仕切部材５が設けられている。この仕切部材５は、収納部４を２つの空間に水密状に仕切るための部材である。
具体的には、仕切部材５は、図７に示すように、表シート基材３の内面に設けられた係合部５１と、係合部５１に係脱可能で且つ裏シート基材３’の内面に設けられた被係合部５２と、を有している。
係合部５１及び被係合部５２は、それぞれその両端部がパウチ本体２のシール部２１に挟み込まれて接着されている。係合部５１及び被係合部５２は、上記延長線２２ａと略平行に、収納部４を横断するように配置されている。
【００３４】
係合部５１は、可撓性を有する合成樹脂等の線状部材で形成され、表シート３の内面に固着されている。係合部５１は、断面視において一部分に切欠きが設けられた断面略Ｃ字状に形成されている。
一方、被係合部５２も可撓性を有する合成樹脂等の線状部材で形成され、係合部５１と対向する位置に設けられている。被係合部５２は、断面視において、裏シート基材３’の内面に固着された基端部５３と、基端部５３から突設された嵌入部５４と、を備えている。基端部５３の幅Ｗは、係合部５１の切欠きの幅Ｄと同等又は小さく形成されており、嵌入部５４の径Ｒは、係合部５１の切欠きの幅Ｄよりも大きく形成されている。
図７（ｂ）に示すように、仕切部材５は、被係合部５２の嵌入部５４を、係合部５１の切欠きに嵌入することにより、係合部５１が適宜変形してその内部に嵌入部５４を抱き込むように保持する。かかる係合状態の被係合部５２を、係合部５１から引き離すことによって、仕切部材５の係合が解除される。
【００３５】
上記仕切部材５の係合によって、収納部４は、切込線２２の延長線２２ａに沿って切り取られて開口される第１空間４１と、仕切部材５を挟んで第１空間４１に隣接する第２空間４２と、に水密状に仕切られている。なお、第２空間４２は、注入口８３の他端部及び注出口９４の他端部を含む収納部である。
【００３６】
本実施形態の医療用パウチ１は、実施形態１の医療用パウチ１と同様に注入部材８を介して充填物が充填される。尚、本実施形態では、充填物は、第２空間４２に充填される。その後、注入部材８の注入口８３を熱圧着により閉塞することにより、充填済みの医療用パウチ１が得られる。
かかるパウチ１は、患者に投与する前に、充填物を希釈する希釈液を補充する用途に特に好適に使用できる。
具体的には、図８に示すように、例えば、貫通孔２３を吊下げフックＦに掛けて、医療用パウチ１を吊下げる。そして、切込線２２を開封起点として、パウチ本体２の角部２４を切り取る。このように角部２４を切り取ると、収納部４の第１空間４１が開かれる。第１空間４１を開いた後、その開口縁を捲って仕切部材５の係合を解除する。仕切部材５の係合を解除すると、充填物が充填された第２空間４２が開口する。この開口（係合部５１と被係合部５２の間）から、例えば、チューブＴ２を挿入し、希釈液を第２空間４２に添加して、充填物を希釈する。希釈液としては、水、生理的食塩水などが挙げられる。
【００３７】
その後、チューブＴ２を抜き、仕切部材５を係合して第２空間４２を水密状に密封する。事後、実施形態１と同様にして、図９に示すように、注出部材９に投与用のチューブＴ３を嵌め、患者に投与する。
【００３８】
本実施形態に係る医療用パウチ１は、注入口８３を熱圧着によってパウチを密封した後でも、仕切部材５の係合を解除することによって、充填物が充填された第２空間４２に希釈液を加えることができる。更に、仕切部材５を係合させると、その部分が水密状に閉塞されるので、充填物が漏れる虞がない。従って、例えば、投与中に医療用パウチ１が揺動しても、充填物が漏れ出ず、且つ、外部から異物が進入する虞もない。
【００３９】
尚、本実施形態において、仕切部材５を設ける位置は、パウチ本体２の角部に限られず、適宜設計変更可能である。
また、仕切部材５は、凹凸嵌合にて係合する上記係合部５１と被係合部５２によって構成されているが、これに代えて、仕切部材５は、例えば、形状保持部材で構成することも可能である（図示せず）。該形状保持部材は、表シート基材３と裏シート基材３’にそれぞれ対向して設けられる。形状保持部材としては、例えば、外力が加えられない限り互いに一定形状を維持し、外力を加えた際に変形し、開口状態を保持できる塑性変形可能なプラスチック材料（例えば、高延伸オレフィンシート等）が挙げられる。また、パウチ本体２に、仕切部材と形状保持部材の双方を具備させてもよい。
【００４０】
以下、上記実施形態１及び２に適用可能な変形例を示す。
上記実施形態では、注出部材９の注出口９４を水密状に閉塞するものとして、キャップ９５が用いられているが、これに代えて、例えば、図１０に示すような、栓部材１００を用いてもよい。かかる栓部材１００は、注出部材９の先端部に一体的に形成され、例えば、注入口９４を閉塞する閉塞部材１０１と、閉塞部材１０１の先端部に取り付けられた引掛部１０２と、を有している。
かかる栓部材１００の引掛部１０２を指で摘み、閉塞部材１０１の基端部（注出部材９の先端部と連接された部分）から折り曲げて、閉塞部材１０１を注出部材９から分断除去することにより、注出部材９の注出口９４が開口される。
【００４１】
また、上記実施形態においては、注入部材８と注出部材９は一体的に成形されているが、これらは別体で形成されていてもよい。
別体の場合、注入部材８と注出部材９とが装着される位置は、医療用パウチ１の使用形態に応じて適宜選択できる。例えば、注入部材８と注出部材９が、シール部２１の一辺部にそれぞれ取り付けても良く、また、図１１に示すように、隣接する異なる一辺部にそれぞれ取り付けてもよい。また、特に図示しないが、対向する一辺部に取り付けてもよい。
なお、注入部材８と注出部材９を別体で形成する場合にも、注入部材８及び注出部材９は、シート基材の間に挟まれてそれぞれ熱シール等されてパウチ本体２に装着される。
【図面の簡単な説明】
【００４２】
【図１】本発明の医療用パウチの一実施形態を示す正面図。
【図２】スパウト部材と、スパウト部材に取り付けられるキャップの正面図。
【図３】充填物を充填する状態を示す医療用パウチの参考正面図。
【図４】（ａ）熱圧着による閉塞前の注入部材の一部省略正面図。（ｂ）は、熱圧着による閉塞後の注入部材の一部省略正面図。
【図５】充填物を注出する状態を示す医療用パウチの参考正面図。
【図６】本発明の医療用パウチの他の実施形態を示す正面図。
【図７】（ａ）非係合状態の仕切部材を示す一部省略断面図。（ｂ）係合状態の仕切部材を示す一部省略断面図。
【図８】希釈液を加える状態を示す医療用パウチの参考正面図。
【図９】充填物を注出する状態を示す医療用パウチの参考正面図。
【図１０】変形例における注出部材の一部省略正面図。
【図１１】本発明の医療用パウチの変形例を示す正面図
【符号の説明】
【００４３】
１…医療用パウチ、２…パウチ本体、３…表シート基材、３’…裏シート基材、４…収納部、４１…第１空間、４２…第２空間、５…仕切部材、５１…係合部、５２…被係合部、６…スパウト部材、８…注入部材、８３…注入口、９…注出部材
【図１】
2008099778.tif 000003
【図２】
2008099778.tif 000004
【図３】
2008099778.tif 000005
【図４】
2008099778.tif 000006
【図５】
2008099778.tif 000007
【図６】
2008099778.tif 000008
【図７】
2008099778.tif 000009
【図８】
2008099778.tif 000010
【図９】
2008099778.tif 000011
【図１０】
2008099778.tif 000012
【図１１】
2008099778.tif 000013